(57)【要約】【課題】  ベッド側部に設置しベッドからの掛布団のずれ落ちを防ぐ器具において、ベッドへの出入りの邪魔にならず、また視覚的に威圧感を与えない使い勝手のよい器具を提供する。【解決手段】  １本の支柱と、前記支柱最上部に位置しその表面が掛布団との間に強い摩擦力を発生する素材から成る滑り止め部材と、前記支柱を支える土台とにより構成され、前記滑り止め部材の位置する高さを調整可能とする。【選択図】図１４
2013162996.tif 000002
【特許請求の範囲】
【請求項１】
ベッド側部に設置し掛布団が寝床上からずれ落ちるのを防止する器具において、１本の支柱と、前記支柱最上部に位置しその表面が掛布団との間に強い摩擦力を発生する素材から成る滑り止め部材と、前記支柱を支える土台とにより構成され、前記滑り止め部材の位置する高さを調整することが可能であることを特徴とする掛布団ずれ落ち防止具。
【請求項２】
前記滑り止め部材が、自身を軸としほぼ水平方向において左右自在に回転可能な構造であることを特徴とする請求項１記載の掛布団ずれ落ち防止具。
【請求項３】
前記土台が、前記支柱から水平面上を１８０度の角度の範囲内において２方向に延びる細長い２本の足から成り、ベッド側部に設置した状態を上空から見たとき、ベッドフレームの縁によって作られる線と前記足それぞれが先端に向け延びる方向とが斜めに交わる形体であることを特徴とする請求項１または２のいずれか１項記載の掛布団ずれ落ち防止具。
【請求項４】
前記土台が、前記支柱から水平方向に延びる独立した細長い２本の足から成り、前記足それぞれを前記支柱または前記支柱に固着した部材に脱着自在に装着し、その装着位置を軸に水平方向に回動させ任意の位置で係止することが可能な構造であることを特徴とする請求項１または２のいずれか１項記載の掛布団ずれ落ち防止具。
【請求項５】
前記土台に対し、該器具をベッドに固定する際に利用するための垂直方向の貫通孔を１箇所以上設けたことを特徴とする請求項１から請求項４のいずれか１項記載の掛布団ずれ落ち防止具。
【請求項６】
前記土台において、該器具をベッド側部へ設置した際に下側となる面の内少なくとも支柱取付け位置付近に対し、もしくは同状況で上側となる面の内少なくとも先端部付近に対し、その両方またはどちらか一方に摩擦力が高まる加工を施したことを特徴とする請求項１から請求項５のいずれか１項記載の掛布団ずれ落ち防止具。
【発明の詳細な説明】
【技術分野】
【０００１】  本発明は、主にベッド上から掛布団がずれ落ちるのを防止するための器具に関する。
【背景技術】
【０００２】
【特許文献１】  特開平１０−３１３９７７号
【発明の開示】
【発明が解決しようとする課題】
【０００３】  就寝時にベッド上から掛布団がずれ落ちるのを防ぐための器具としては、ベッド側部に壁または柵のようなものを設け掛布団がそれ以上外側に移動するのを防ぐといったものが多く用いられてきた。しかし厚手の掛布団の場合、該器具上端の位置を高くしなければその上を掛け布団が超えてしまう可能性が大きいため、寝床面から該器具上端までの高さを最低でも掛け布団の厚みより高くする必要があった。その結果、器具は寝床への出入りの邪魔となる使い勝手の悪い、また視覚的にも圧迫感を与えるものとなってしまっていた。【０００４】  前記特許文献１の器具は掛布団が接触する面に摩擦力の高い素材を用いることでその滑り止めの効果により掛布団の動きを抑止しベッドよりずれ落ちるのを防ぐものである。このような摩擦力を利用した器具の最大の利点は、前記の壁や柵のようなタイプの器具と比べその高さをかなり低くしても前記ずれ落ちを防ぐ効果が期待できる点にある。【０００５】  しかしながら、ベッドフレーム（以下、本明細書中で述べるベッドフレームとはマットレスなどを載せるための床板を含めたものである）の上に載せるマットレスや敷布団（以下、マットレス等と記す）は厚みが様々であり、前記滑り止めが位置する高さの調整ができない場合、器具単位でのサイズを多種用意しなければその利点を最大限に生かすことはできない。
【課題を解決するための手段】
【０００６】  本発明は、上記課題を解決するためになされたものであり請求項１の発明では、ベッド側部に設置し掛布団が寝床上からずれ落ちるのを防止する器具において、１本の支柱と、前記支柱最上部に位置しその表面が掛布団との間に強い摩擦力を発生する素材から成る滑り止め部材と、前記支柱を支える土台とにより構成され、前記滑り止め部材の位置する高さを調整することが可能であることを特徴とする掛布団ずれ落ち防止具を提供する。【０００７】  請求項２の発明では、前記滑り止め部材が、自身を軸としほぼ水平方向において左右自在に回転可能な構造であることを特徴とする請求項１記載の掛布団ずれ落ち防止具を提供する。【０００８】  請求項３の発明では、前記土台が、前記支柱から水平面上を１８０度の角度の範囲内において２方向に延びる細長い２本の足から成り、ベッド側部に設置した状態を上空から見たとき、ベッドフレームの縁によって作られる線と前記足それぞれが先端に向け延びる方向とが斜めに交わる形体であることを特徴とする請求項１または２のいずれか１項記載の掛布団ずれ落ち防止具を提供する。【０００９】  請求項４の発明では、前記土台が、前記支柱から水平方向に延びる独立した細長い２本の足から成り、前記足それぞれを前記支柱または前記支柱に固着した部材に脱着自在に装着し、その装着位置を軸に水平方向に回動させ任意の位置で係止することが可能な構造であることを特徴とする請求項１または２のいずれか１項記載の掛布団ずれ落ち防止具を提供する。【００１０】  請求項５の発明では、前記土台に対し、該器具をベッドに固定する際に利用するための垂直方向の貫通孔を１箇所以上設けたことを特徴とする請求項１から請求項４のいずれか１項記載の掛布団ずれ落ち防止具を提供する。【００１１】  請求項６の発明では、前記土台において、該器具をベッド側部へ設置した際に下側となる面の内少なくとも支柱取付け位置付近に対し、もしくは同状況で上側となる面の内少なくとも先端部付近に対し、その両方またはどちらか一方に摩擦力が高まる加工を施したことを特徴とする請求項１から請求項５のいずれか１項記載の掛布団ずれ落ち防止具を提供する。【００１２】  なお、本出願文中の「ベッド側部」とは、図１に示す▲１▼から▲３▼の範囲におけるベッド側面のことをいう。また「掛布団」とは、就寝時に体に掛けるもの全般を述べたものであり、例えば毛布やタオルケットなどを含めたものである。
【発明の効果】
【００１３】  請求項１の発明による効果を説明する。該器具表面と掛布団との間に生じる摩擦力による滑り止め効果を利用した掛布団ずれ落ち防止具においては、掛布団が該器具の滑り止め部分に接触すればその効果を発揮できるものであり、よって滑り止めの位置はマットレス等の上面の高さと同程度であってもその効果が期待できるものである。そこで請求項１の発明では、図２から図３に示すように、該滑り止め部材１の位置する高さをベッドフレーム５上に置くマットレス等４の様々な厚みに合わせ前記効果を発揮する範囲内において最も低い位置に調整できることから、ベッドへの出入りの際に邪魔にならず、また器具全体の高さを低くできることから視覚的圧迫感を軽減できるといった効果がある。【００１４】  請求項２の発明による効果を説明する。該器具をベッド側部に設置した場合、その強力な摩擦力により掛布団はベッド上からずれ落ちにくくなるが同時に次のような不都合も生じる。例えば使用者が就寝時に掛布団を頭側に向け引き寄せるために掛布団をマットレス等の上を故意に滑らせる際や、ベッド脇に立つ者がベッド側面ぎりぎりの所を移動する際など、掛布団や前者衣服等が該器具に引っかかってしまう可能性がある。特に掛布団については、図１９に示すような、該器具とマットレス等との間に挟まった状態の時にこのような引っかかりを起こしやすい。そこで請求項２の発明によれば、前記のように掛布団や前者衣服等と該滑り止め部材が接触した際、図４に示すように、該滑り止め部材１が水平方向左右自在に回転することで、前記引っかかりを軽減することが可能となる。【００１５】  請求項３の発明による効果を説明する。該土台を細長い２本の足により形成すれば、材料の使用量を減らせる点や重量を軽減できる点において非常に有利であるが、図７に示すように、掛布団６からベッド外側に向け水平方向の力Ａを受けると土台３を折り曲げようとする力Ｄが発生する。前記のように土台を細長い足とした場合、幅が細くなる分強度が低下するので土台の厚みを増すことで低下した分の強度を補いたいところであるが、該器具の設置方法が土台部分をベッドフレームとその上に敷くマットレス等との間に差し入れるといった設置方法の場合、マットレス等の厚みが薄ければ土台をあまり厚くすると就寝者の背中に違和感を与えるものとなってしまう。【００１６】  そこで請求項３の発明では、前記足の厚みを薄くしても必要な強度が得られるように工夫したものである。図５は、例えばコの字型の土台３ａを有する該器具を上空より見た図であるが、ベッド側部に設置した場合、前記足は２本ともベッドフレームまたはマットレス等の縁の線Ｋに対し直角に交差することとなる。仮に足の幅が２ｃｍとするなら該器具に力Ａがかかった際その力を２本の足はそれぞれにつき２ｃｍの幅Ｘで受け止めることとなる。それに対し請求項３の発明では、図６に示す実施例のように、それぞれの足が前記線Ｋに対し斜めに交差する形体の土台３ｂであり、この場合足の幅が前記土台３ａと同じ２ｃｍであったとしても、器具に力Ａがかかった際その力を各足はそれぞれにつき２ｃｍよりも大きな幅Ｙで受け止めることとなる。すなわち図５の物と比べより大きな力に耐えられるものとなる。���００１７】  請求項４の発明による効果を説明する。例えば該器具の設置方法が土台部分をベッドフレームとその上に敷くマットレス等との間に入れるといった設置方法の場合、図８に示すように、掛布団６がベッド上からずれ落ちようとする際、該器具は掛布団６から力Ａを受け、その力Ａは該器具を水平方向に押す力Ｂと該器具を傾けようとする力Ｃへと変わる。このとき土台３とベッド側との間の摩擦力が小さければ該器具はベッドから押し出されてしまうといった現象が起こる。【００１８】仮に該土台を大きくしマットレス等からの荷重面積を増やしたり、該土台表面を加工するなどといった前記摩擦力を高める方法が望めないとするなら、力Ｂに対する力Ｃの比率を上げて力Ｂを小さくする方法により前記現象を防ぐ必要がある。そこで前記比率を上げる方法であるが、力Ａが力Ｂよりも力Ｃに伝わりやすくする、すなわち該器具が力Ｃの方向に傾きやすくすればよい。この場合、力Ａを受ける滑り止め部材１の高さ、掛布団６、ベッドフレーム５、マットレス等４は同条件となるので、図８中Ｋを支点とし、力点を滑り止め部材１とし、作用点を土台３の先端Ｇとした梃子の原理を用いて考えると、支点から力点までの距離は変わらないので、支点Ｋから作用点Ｇまでの距離すなわち該土台における有効奥行ＫＧ（図２０参照）が短いほど軽い力で該器具は傾こうとする。このため力Ａは、力Ｂよりも力Ｃに伝わりやすくなり、前記比率が上がり力Ｂは弱まるので該器具がベッドから押し出されにくくなる。【００１９】  ただこのとき前記有効奥行ＫＧを短くするために該土台自体の長さを短くしてしまうとマットレス等から受ける荷重が小さくなり前記摩擦力が低下するため場合によっては抜けやすくなってしまうことも考えられる。また図１９に示すように、該器具が傾きやすくなることでマットレス等側面と該器具との間により大きなすき間が生じやすくなり、そのすき間に掛布団が挟まりやすくなることから使い勝手が悪くなる可能性もある。【００２０】  以上のとおり該土台の最適な奥行の設定には、ベッドフレームまたはマットレス等の素材や重量、また季節によって異なる掛布団の種類など様々なものを考慮に入れなければならず、よって使用者がそのような状況に合わせ自由に前記奥行を設定できる構造とするのが好ましい。【００２１】  そこで請求項４の発明によれば、図９に示すように、土台３ｃにおける各足の開き具合を変更可能とすることにより、使用者は前記状況に合わせ前記有効奥行ＫＧを自由に調整することが可能となる。具体的には次のような設定例が考えられる。例えば、ベッド側の部材が土台との間に充分な摩擦力が期待できる素材と重量を備えた場合は、２本の足の開き具合を小さくして土台の奥行を長くとる（土台３ｃの各足の先端が図９の線Ｇの位置）ことで支柱は傾きにくくなり該器具を快適に使用できる。また、マットレス等の重量が十分でないなど前記の摩擦力が期待できない場合は、足の開き具合を大きくして土台の奥行を短くとる（土台３ｃの各足の先端が図９の線Ｇ’の位置）ことにより支柱は傾きやすくなり多少快適度は落ちるものの該器具はベッドから抜け落ちにくくなる。【００２２】  また請求項４の発明によれば、商品化した際の梱包に関しても、梱包時に該支柱から土台すなわち該足２本をはずすことで、より梱包サイズを小さくすることが可能となる。【００２３】  請求項５の発明による効果を説明する。該器具の設置方法が、土台部分をベッドフレームとその上に敷くマットレス等との間に入れるといった設置方法の場合において、該器具を安定させるに充分な重みがマットレス等にない場合、請求項５の発明により、土台にあいた孔を利用しネジやひも等により該器具をベッドフレームに直接固定することが可能となる。【００２４】  更に請求項４の発明と組み合わせることにより、図１０に示すように、仮に前記ベッドフレームにおける床板がスノコ状のものであったとしても、該土台における各足を回動させその広がり具合を調整することにより、孔１３の位置をスノコ板１１のすき間２１を避け板の上に合わせることが可能となる。また、ベッドのタイプが図２４に示すような、ベッドフレームとマットレスが一体である一般にシンプルベッドと言われているものであっても、ベッド下面側におけるベッドフレーム枠に、図２５に示すようにネジ３５により直接固定することも可能となる。【００２５】  請求項６の発明による効果を説明する。該器具の設置方法が、ひもやネジなど別の何かを利用して土台をベッドフレーム上へ固定するのではなく、土台をベッドフレームとその上に敷くマットレス等との間に単に挟み入れるだけのものである場合、該器具が掛布団６から水平方向の力Ａを受けた際にベッドから押し出されにくいものとするための一方法として、該土台とベッド側との摩擦力を高める方法が挙げられる。その場合、該土台の表面を加工することとなるが、図８に示すように、該器具が掛布団６から水平方向の力Ａを受けた際、該器具には力Ｂと同時に力Ｃも働くため、該土台においてベッド側に対し特に大きな荷重を発生するのは、フレームの縁Ｋに接触する付近下面、および先端付近上面である。そこで請求項６の発明では、少なくとも前記２か所のいずれかの土台表面に摩擦力を高める加工をすることにより該器具がベッド外へ押し出されるリスクを減らすことが可能となる。
【実施例】
【００２６】  次に述べるのは本発明における一実施例による掛布団ずれ落ち防止具である。まず土台については、図１１に示すように細長く直線状に延びた鉄製の２枚の平板１５を該足として利用しそれぞれの一端付近に支柱取付け用の孔１２、そこからもう一方の端に向け７ｃｍ程度の場所に土台固定用の孔１３、更にそこから同方向に３ｃｍ程度の場所に土台固定用の孔１４を設ける。この土台固定用の孔は複数設けることで土台をネジ止めする必要が生じた際により有利なものとなる。また、該土台とベッド側との間の摩擦力を高めるため、孔１２の少し内側の下面および反対側の端の上面それぞれに薄いゴム製の高摩擦材３１を貼り付ける。【００２７】  次に、支柱については、図１２に示すように２種類の太さのパイプを用いて、細いパイプ１７の内部にナット１９を固着し、太いパイプ１６の内部にナット１９に適合するボルト１８を固着し、ネジの特性を利用しパイプ１７をパイプ１６の内側にねじ込んで係止し、それらパイプのいずれか一方を回転させることにより支柱２全体の長さを伸縮自在な構造とする。またパイプ１６におけるパイプ１７を挿入するのとは反対側の端の内部にナット２０を固着しておく。なお、このナット２０とボルト１８は一体のものであってもよい。【００２８】  次に、滑り止め部材ついてであるが、例えばベッドへの出入りの際に邪魔にならず威圧感を与えにくく商品化の際にも梱包サイズが小さくできることなどから考えると、その大きさは小さいほど良いわけであるが、あまりに小さいと、掛布団と該器具との接触面積が小さくなり過ぎ、そこに掛布団の荷重が集中するためその部分の生地が傷みやすくなる。また特に、掛布団を布団カバーで覆っている場合は該滑り止め部材に前記カバーの布が絡まりやすくなる。それらの点から考えると該滑り止め部材には適度な表面積すなわち大きさと形体が求められる。【００２９】  そこで本発明における該滑り止め部材の大きさおよび形体は、上空から見た場合においてその幅の最小値が同最大値の７０％以上であり、且つ前記最小値が４ｃｍ以上、最大値が１０ｃｍ以内の大きさであり、角度９０度未満の角を持たない形体が好ましく、掛布団が絡み付くことなく素材どうしの摩擦力によって掛布団の動きを抑止できるよう、角や出っ張りが最も少ない点と、その中心を軸に水平方向に回転させた際にも見た目上の形体が変化しない点から球体とするのが最も好ましい。またその素材は発泡ゴムやシリコーンゴムなどの掛布団のような布製品との間で高摩擦力を発揮する素材が適する。これらの弾性素材は使用者が器具に体をぶつけた時にその衝撃を緩和する点でも有利である。【００３０】  まず支柱への土台の装着は、２枚の平板１５をそれぞれの孔１２を利用し支柱下端に埋め込んだナット２０にネジ２２により係止する。これにより図１３に示すように２本の足は水平方向において角度設定が自在となる。【００３１】  次に、支柱への滑り止め部材の装着についてであるが、前記タイプの支柱であれば、仮に支柱の一端と滑り止め部材とを固着したとしても、例えばマットレス等の上を引きずって移動させようとした掛布団が滑り止め部材に接触した際には、滑り止め部材１が支柱における固着した側のパイプ１７と一体となって水平方向に回転するので、掛布団が滑り止め部材１に引っかかる率を減らすことが可能となる。【００３２】  なお、この場合ボルト１８およびナット１９のネジのピッチについてであるが、ピッチが大きければ、該滑り止め部材の高さを調整する際に該支柱の一方を回す回数が少なくて済む点では有利であるが、前記調整は季節の変わり目など掛布団を変更する際に行う程度のものでありその頻度は少ない。逆にピッチが小さければ、掛布団との接触による前記回転が起きた際の該滑り止め部材の高さの変化が少なくて済む点において有利である。以上の点から前記ピッチは小さい方が好ましく、例えば直径５ｍｍのボルトであればその標準ピッチとされる０．８ｍｍかそれ以下のものが好ましい。【００３３】  該支柱については、図１２に示す前記のようなネジの特性を利用した回転伸縮式の他、図１５に示すような、細いパイプ２３と太いパイプ２４とが重なる部分をネジ２５により係止することで支柱全体の長さを調整するネジ止め式のものも挙げられる。しかしこれは、支柱表面の中ほどにネジ２５のような突起物を有するため掛布団が引っかかる原因となったり、使用者が支柱に体を接触させた際のケガの原因となる点からも前記回転伸縮式のものの方がより好ましいといえる。なお、このネジ止め式の場合は該支柱と該滑り止め部材とは固着せずに該滑り止め部材が該支柱に対し独立して水平方向左右自在に回転可能な構造とすることで請求項２の発明による効果が得られる。【００３４】  なお、上記２例のような太さの異なるパイプを用いた繰り出し式のものとしては、３本以上のパイプを用いて前記伸縮率をより大きく設定できる物も挙げられる。この場合の例としては、図２２に示すように、最太パイプ３４の内部に内ネジ３３を切り、中太のパイプの下端に前記内ネジと噛み合う外ネジ３２を設けた構造による全体を回転伸縮式にしたものや、図２３に示すように、回転伸縮式とネジ止め式を混ぜたものや、全体をネジ止め式としたものなどが挙げられる。なお、前記繰り出し式のいずれのものであっても、安全のためパイプどうしが完全に抜けることがないよう抜け止めを設けるのが好ましい。【００３５】  また、図１６に示すような、該支柱における該土台に固定する位置を上下にずらすことにより該滑り止め部材の位置する高さを調整する方式のものも挙げられる。ただ、この方式のものは部品点数の少なさの点では有利であるが、図２１に示すように、ベッドフレームの幅に対しマットレス等の幅が小さく、該支柱がベッドフレーム上に位置する設置状況の場合、ベッドフレームが邪魔となり支柱を下げることが出来なくなってしまうため、その点においては前記の支柱自体が伸縮するタイプの方がより好ましいものといえる。【００３６】  他の実施例として、図１７に示すようなＵ字型の土台や、図１８に示すように該器具の設置方法が部屋の床に直接置くタイプのものなども挙げられる。
【図面の簡単な説明】
【００３７】
【図１】  掛布団を載せていない状態のベッドを上空から見た図である。
【図２】  比較的薄いマットレス等を載せたベッドに本発明による一実施例の器具を設置した状態を水平方向に見た図である。
【図３】  比較的厚いマットレス等を載せたベッドに本発明による一実施例の器具を設置した状態を水平方向に見た図である。
【図４】  掛布団を載せ、該器具を設置した状態のベッドを上空から見た図である。
【図５】  本発明による一実施例の器具を上空より見た図である。
【図６】  本発明による一実施例の器具を上空より見た図である。
【図７】  ベッド側部に設置した本発明による一実施例の該器具が掛布団を受けている状態を水平方向に見た部分図である。
【図８】  本発明による一実施例の器具をベッド側部に設置した状態を水平方向に見た部分図である。
【図９】  本発明による一実施例の土台を上空より見た図である。
【図１０】  本発明による一実施例の土台をスノコ板を有するベッドフレーム上へ置いた状態を上空より見た部分図である。
【図１１】  本発明による一実施例の土台の２本の足の内の１本の平面図である。
【図１２】  本発明による一実施例の支柱の組み立て展開図である。
【図１３】  本発明による一実施例の支柱に取り付けた土台を下から見た図である。
【図１４】  本発明による一実施例の器具全体像の斜視図である。
【図１５】  本発明による一実施例の支柱の構造を示す展開部分図である。
【図１６】  本発明による一実施例の器具全体像の斜視図である。
【図１７】  本発明による一実施例の土台を上空より見た図である。
【図１８】  本発明による一実施例の器具をベッド側部に設置した状態を水平方向に見た部分図である。
【図１９】  ベッド側部に設置した本発明による一実施例の該器具が掛布団を受けている状態を水平方向に見た部分図である。
【図２０】  本発明による一実施例をベッド側部に設置した状態を上空から見た図である。
【図２１】  該器具をベッド側部に設置した状態を水平方向に見た部分図である。
【図２２】  本発明による支柱の一実施例の展開図である。
【図２３】  本発明による支柱の一実施例の展開図である。
【図２４】  本発明による一実施例をフレーム・マットレス一体型ベッド側部に設置した状態の斜視図である。
【図２５】  図２４における該器具固定箇所をベッド下側より見上げた図である。
【符号の説明】
【００３８】１．滑り止め部材
２．支柱
３〜３ｄ．土台
４．マットレス等
５．ベッドフレーム
６．掛布団
７．枕
８．ヘッドボード
１０．足（土台）
１１．スノコ板
１２．支柱取付け用孔
１３〜１４．土台固定用孔
１５．足（土台）
１６．支柱用太パイプ
１７．支柱用細パイプ
１８．高さ調整用ボルト
１９．高さ調整用ナット
２０．土台取付け用ナット
２１．スノコ板におけるすき間部分
２２．支柱取付け用ネジ
２３．支柱用細パイプ
２４．支柱用太パイプ
２５．長さ固定用ネジ
２６．支柱
２７．土台
２８．支柱固定用ネジ
２９．支柱取付け位置
３０．ベッドフレームにおける枠部分
３１．高摩擦材
３２．外ネジ
３３．内ネジ
３４．最太パイプ
３５．土台固定用ネジ
【図１】
2013162996.tif 000003
【図２】
2013162996.tif 000004
【図３】
2013162996.tif 000005
【図４】
2013162996.tif 000006
【図５】
2013162996.tif 000007
【図６】
2013162996.tif 000008
【図７】
2013162996.tif 000009
【図８】
2013162996.tif 000010
【図９】
2013162996.tif 000011
【図１０】
2013162996.tif 000012
【図１１】
2013162996.tif 000013
【図１２】
2013162996.tif 000014
【図１３】
2013162996.tif 000015
【図１４】
2013162996.tif 000016
【図１５】
2013162996.tif 000017
【図１６】
2013162996.tif 000018
【図１７】
2013162996.tif 000019
【図１８】
2013162996.tif 000020
【図１９】
2013162996.tif 000021
【図２０】
2013162996.tif 000022
【図２１】
2013162996.tif 000023
【図２２】
2013162996.tif 000024
【図２３】
2013162996.tif 000025
【図２４】
2013162996.tif 000026
【図２５】
2013162996.tif 000027